(57)【要約】【課題】移動局ＵＥが無線基地局ｅＮＢ＃１配下のセル＃１から無線基地局ｅＮＢ＃２配下のセル＃２にハンドオーバする場合に、無線基地局ｅＮＢ＃２において、無線基地局ｅＮＢ＃１で用いられていたＣＳＩ-ＲＳリソースに係る設定情報を引き継ぐか否かについて決定する。【解決手段】本発明に係る移動通信方法は、移動局ＵＥが、無線基地局ｅＮＢ＃２配下のセルにおいて、無線基地局ｅＮＢ＃１配下の送信ポイントで用いられていた「ＣＳＩ-ＲＳリソース」に係る設定情報を有効にする工程と、移動局ＵＥが、無線基地局ｅＮＢ＃２配下のセルにおいて、無線基地局ｅＮＢ＃１から受信した「ＰｈｙｓｉｃａｌＣｏｎｆｉｇＤｅｄｉｃａｔｅｄ」によって指定されているＣＳＩ-ＲＳリソースに係る設定情報を解放/追加する工程とを有する。【選択図】図５
2014093620.tif 000002
【特許請求の範囲】
【請求項１】
第１無線基地局及び第２無線基地局において、複数の送信ポイントを用いたマルチポイント協調送受信が行われている場合に、移動局が、該第１無線基地局配下のセルから該第２無線基地局配下のセルにハンドオーバするハンドオーバ方法であって、
前記移動局が、前記第２無線基地局配下のセルにおいて、前記第１無線基地局配下の前記送信ポイントで用いられていたチャネルステートインディケータ及び参照符号用リソースに係る設定情報を有効にする工程と、
前記移動局が、前記第２無線基地局配下のセルにおいて、前記第１無線基地局から受信した物理設定情報によって指定されているチャネルステートインディケータ及び参照符号用リソースに係る設定情報を解放する工程と、
前記移動局が、前記第２無線基地局配下のセルにおいて、前記第１無線基地局から受信した物理設定情報によって指定されているチャネルステートインディケータ及び参照符号用リソースに係る設定情報を追加する工程とを有することを特徴とするハンドオーバ方法。
【請求項２】
第１無線基地局及び第２無線基地局において、複数の送信ポイントを用いたマルチポイント協調送受信が行われている場合に、該第１無線基地局配下のセルから該第２無線基地局配下のセルにハンドオーバすることができるように構成されている移動局であって、
前記送信ポイントで用いられるチャネルステートインディケータ及び参照符号用リソースに係る設定情報を管理するように構成されている設定部を具備しており、
前記ハンドオーバが行われる際に、前記設定部は、前記第２無線基地局配下のセルにおいて、前記第１無線基地局配下の前記送信ポイントで用いられていたチャネルステートインディケータ及び参照符号用リソースに係る設定情報を有効にし、前記第１無線基地局から受信した物理設定情報によって指定されているチャネルステートインディケータ及び参照符号用リソースに係る設定情報を解放し、該物理設定情報によって指定されているチャネルステートインディケータ及び参照符号用リソースに係る設定情報を追加するように構成されていることを特徴とする移動局。
【発明の詳細な説明】
【技術分野】
【０００１】
本発明は、ハンドオーバ方法及び移動局に関する。
【背景技術】
【０００２】
ＬＴＥ（Ｌｏｎｇ  Ｔｅｒｍ  Ｅｖｏｌｕｔｉｏｎ）方式において、セル端に位置する移動局ＵＥにおけるスループットの改善等を図ることを目的として、ＣｏＭＰ（Ｃｏｏｒｄｉｎａｔｅｄ  Ｍｕｌｔｉ-Ｐｏｉｎｔ  ｔｒａｎｓｍｉｓｓｉｏｎ/ｒｅｃｅｐｔｉｏｎ、マルチポイント協調送受信）を行うことについて検討されている。
【０００３】
かかるＣｏＭＰは、地理的に離れた複数の送信ポイント（例えば、無線基地局ｅＮＢや基地局用無線装置ＲＲＥ（Ｒｅｍｏｔｅ  Ｒａｄｉｏ  Ｅｑｕｉｐｍｅｎｔ）やリレーノードＲＮ等）の間で、共有データチャネル信号の送受信やスケジューリングやビームフォーミング等を協調制御する技術である。
【先行技術文献】
【非特許文献】
【０００４】
【非特許文献１】３ＧＰＰ寄書Ｒ２-１２４９２６
【非特許文献２】３ＧＰＰ  ＴＳ３６.３３１
【非特許文献３】３ＧＰＰ  ＴＲ３６.８１９
【発明の概要】
【発明が解決しようとする課題】
【０００５】
しかしながら、現在のＬＴＥ方式では、移動局ＵＥが、ＣｏＭＰを行っている無線基地局ｅＮＢ＃１配下のセル＃１から、ＣｏＭＰを行っている無線基地局ｅＮＢ＃２配下のセル＃２にハンドオーバする場合に、無線基地局ｅＮＢ＃２において、無線基地局ｅＮＢ＃１で用いられていたＣＳＩ-ＲＳ（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）リソースに係る設定情報を引き継ぐか否かについて規定されていないという問題点があった。
【０００６】
そこで、本発明は、上述の課題に鑑みてなされたものであり、移動局ＵＥが、ＣｏＭＰを行っている無線基地局ｅＮＢ＃１配下のセル＃１から、ＣｏＭＰを行っている無線基地局ｅＮＢ＃２配下のセル＃２にハンドオーバする場合に、無線基地局ｅＮＢ＃２において、無線基地局ｅＮＢ＃１で用いられていたＣＳＩ-ＲＳリソースに係る設定情報を引き継ぐか否かについて決定することができるハンドオーバ方法及び移動局を提供することを目的とする。
【課題を解決するための手段】
【０００７】
本発明の第１の特徴は、第１無線基地局及び第２無線基地局において、複数の送信ポイントを用いたマルチポイント協調送受信が行われている場合に、移動局が、該第１無線基地局配下のセルから該第２無線基地局配下のセルにハンドオーバするハンドオーバ方法であって、前記移動局が、前記第２無線基地局配下のセルにおいて、前記第１無線基地局配下の前記送信ポイントで用いられていたチャネルステートインディケータ及び参照符号用リソースに係る設定情報を有効にする工程と、前記移動局が、前記第２無線基地局配下のセルにおいて、前記第１無線基地局から受信した物理設定情報によって指定されているチャネルステートインディケータ及び参照符号用リソースに係る設定情報を解放する工程と、前記移動局が、前記第２無線基地局配下のセルにおいて、前記第１無線基地局から受信した物理設定情報によって指定されているチャネルステートインディケータ及び参照符号用リソースに係る設定情報を追加する工程とを有することを要旨とする。
【０００８】
本発明の第２の特徴は、第１無線基地局及び第２無線基地局において、複数の送信ポイントを用いたマルチポイント協調送受信処理が行われている場合に、該第１無線基地局配下のセルから該第２無線基地局配下のセルにハンドオーバすることができるように構成されている移動局であって、前記送信ポイントで用いられるチャネルステートインディケータ及び参照符号用リソースに係る設定情報を管理するように構成されている設定部を具備しており、前記ハンドオーバが行われる際に、前記設定部は、前記第２無線基地局配下のセルにおいて、前記第１無線基地局配下の前記送信ポイントで用いられていたチャネルステートインディケータ及び参照符号用リソースに係る設定情報を有効にし、前記第１無線基地局から受信した物理設定情報によって指定されているチャネルステートインディケータ及び参照符号用リソースに係る設定情報を解放し、該物理設定情報によって指定されているチャネルステートインディケータ及び参照符号用リソースに係る設定情報を追加するように構成されていることを要旨とする。
【発明の効果】
【０００９】
以上説明したように、本発明によれば、移動局ＵＥが、ＣｏＭＰを行っている無線基地局ｅＮＢ＃１配下のセル＃１から、ＣｏＭＰを行っている無線基地局ｅＮＢ＃２配下のセル＃２にハンドオーバする場合に、無線基地局ｅＮＢ＃２において、無線基地局ｅＮＢ＃１で用いられていたＣＳＩ-ＲＳリソースに係る設定情報を引き継ぐか否かについて決定することができるハンドオーバ方法及び移動局を提供することができる。
【図面の簡単な説明】
【００１０】
【図１】本発明の第１の実施形態に係る移動通信システムの全体構成図である。
【図２】本発明の第１の実施形態に係る移動局の機能ブロック図である。
【図３】本発明の第１の実施形態に係る無線基地局によって送信される情報要素「ＰｈｙｓｉｃａｌＣｏｎｆｉｇＤｅｄｉｃａｔｅｄ」の一例を示す図である。
【図４】本発明の第１の実施形態に係る移動通信システムの動作を説明するためのシーケンス図である。
【図５】本発明の第１の実施形態に係る移動局の動作を説明するためのフローチャートである。
【図６】本発明の第１の実施形態に係る移動局の動作を説明するための図である。
【発明を実施するための形態】
【００１１】
（本発明の第１の実施形態に係る移動通信システム）
図１乃至図６を参照して、本発明の第１の実施形態に係る移動通信システムについて説明する。本実施形態では、本実施形態に係る移動通信システムとして、ＬＴＥ方式の移動通信システムを例示して説明するが、本発明は、ＬＴＥ方式以外の移動通信システムにも適用可能である。
【００１２】
図１に示すように、本実施形態に係る移動通信システムは、無線基地局ｅＮＢ＃１及び無線基地局ｅＮＢ＃１を具備している。
【００１３】
ここで、無線基地局ｅＮＢ＃１及び無線基地局ｅＮＢ＃２は、ＣｏＭＰ、特に、下りＣｏＭＰを行うことができるように構成されている。
【００１４】
ここで、本実施形態に係る移動通信システムでは、無線基地局ｅＮＢ＃１配下のセル（無線基地局ｅＮＢ＃１配下の送信ポイントによって送受信が行われるセル）及び無線基地局ｅＮＢ＃２配下のセル（無線基地局ｅＮＢ＃２配下の送信ポイントによって送受信が行われるセル）において、ＣｏＭＰを提供することができるように構成されている、すなわち、無線基地局ｅＮＢ＃１配下のセル及び無線基地局ｅＮＢ＃２配下のセルが、ＣｏＭＰサポートエリアとなるように構成されているものとする。
【００１５】
かかる下りＣｏＭＰには、「ＪＴ（Ｊｏｉｎｔ  Ｔｒａｎｓｍｉｓｓｉｏｎ）」や「ＤＣＳ（Ｄｙｎａｍｉｃ  Ｃｅｌｌ  Ｓｅｌｅｃｔｉｏｎ）」や「ＣＳ/ＣＢ（Ｃｏｏｒｄｉｎａｔｅｄ  Ｓｃｈｅｄｕｌｉｎｇ/Ｂｅａｍｆｏｒｍｉｎｇ）」が含まれている。
【００１６】
ここで、「ＪＴ」は、複数のセルから、すなわち、サービングセル以外のセルからも、移動局ＵＥに対して、共有データチャネル信号を送信する処理である。
【００１７】
また、「ＤＣＳ」は、チャネル品質情報（ＣＱＩ）に基づいて、高速に、1つのセルを選択し、選択したセルから、移動局ＵＥに対して、共有データチャネル信号を送信する処理である。
【００１８】
さらに、「ＣＳ/ＣＢ」は、サービングセルと周辺セルとの間で、スケジューリングやビームフォーミングを協調する処理である。
【００１９】
また、無線基地局ｅＮＢ＃１配下のセル及び無線基地局ｅＮＢ＃２配下のセルでは、ＣＲＳ（Ｃｅｌｌ  ｓｐｅｃｉｆｉｃ  Ｒｅｆｅｒｅｎｃｅ  Ｓｉｇｎａｌ）に加えて、ＣＳＩ-ＲＳを送信することができるように構成されている。
【００２０】
ここで、ＣＲＳは、ＬＴＥのＲｅｌ-８/９方式で規定されている参照信号であって、各セル内の全ての移動局ＵＥに対して共通に設定される参照信号である。
【００２１】
一方、ＣＳＩ-ＲＳは、ＬＴＥのＲｅｌ-１０以降の方式で規定されている参照信号であって、ＲＲＣ（Ｒａｄｉｏ  Ｒｅｓｏｕｒｃｅ  Ｃｏｎｔｒｏｌ）メッセージを用いて移動局ＵＥごとに個別に設定される参照信号である。
【００２２】
ＣＳＩ-ＲＳは、上述の送信ポイント（ＣｏＭＰの対象候補）やサービングセルや周辺セル（ハンドオーバ先候補）等の品質測定処理（ｍｅａｓｕｒｅｍｅｎｔ）のために用いられてもよいし、ＣｏＭＰが行われている送信ポイントやサービングセルにおけるＣＱＩを測定するために用いられてもよい。
【００２３】
なお、上述の品質測定処理のために用いられるＣＳＩ-ＲＳ及び上述のＣＱＩを測定するために用いられるＣＳＩ-ＲＳは、同じものであってもよいし、異なるものであってもよい。
【００２４】
例えば、上述の品質測定処理における測定精度及び上述のＣＱＩの測定精度に対する要求条件に基づいて、上述の品質測定処理のために用いられるＣＳＩ-ＲＳ及び上述のＣＱＩを測定するために用いられるＣＳＩ-ＲＳを同じものにするか或いは異なるものにするかについて決定することができる。
【００２５】
また、ＣＳＩ-ＲＳの配置密度は、ＣＲＳの配置密度と比べて低くなるように構成されている。
【００２６】
また、無線基地局ｅＮＢ＃１配下のセル（或いは、無線基地局ｅＮＢ＃２配下のセル）においてＣｏＭＰが行われている場合、かかるセル（送信ポイント）において、同一のＰＣＩ（Ｐｈｙｓｉｃａｌ  Ｃｅｌｌ  ＩＤ）が用いられるように構成されていてもよいし、異なるＰＣＩが用いられるように構成されていてもよい。
【００２７】
本実施形態では、図１に示すように、無線基地局ｅＮＢ＃１及び無線基地局ｅＮＢ＃２において、ＣｏＭＰが行われている場合に、移動局ＵＥが、無線基地局ｅＮＢ＃１配下のセルから無線基地局ｅＮＢ＃２配下のセルにハンドオーバするケースについて説明する。
【００２８】
なお、本実施形態に係る移動通信システムでは、無線基地局ｅＮＢ＃１配下のセル及び無線基地局ｅＮＢ＃２配下のセルは、マクロセル（ｍａｃｒｏ  ｃｅｌｌ）であってもよいし、スモールセル（ｓｍａｌｌ  ｃｅｌｌ）であってもよい。
【００２９】
例えば、本実施形態に係る移動通信システムでは、無線基地局ｅＮＢ＃１配下のセルが、マクロセルであり、無線基地局ｅＮＢ＃２配下のセルが、スモールセルであり、無線基地局ｅＮＢ＃１配下のセルのカバーエリア内に、無線基地局ｅＮＢ＃２配下のセルが配置されるように構成されていてもよい。
【００３０】
図２に示すように、本実施形態に係る移動局ＵＥは、受信部１１と、設定部１２とを具備している。
【００３１】
受信部１１は、無線基地局ｅＮＢ＃１及び無線基地局ｅＮＢ＃２から各種信号を受信するように構成されている。
【００３２】
例えば、受信部１１は、無線基地局ｅＮＢ＃１や無線基地局ｅＮＢ＃２から、上述のハンドオーバに係る制御信号、例えば、情報要素「ＰｈｙｓｉｃａｌＣｏｎｆｉｇＤｅｄｉｃａｔｅｄ」を含む情報要素「ＭｏｂｉｌｉｔｙＣｏｎｔｒｏｌＩｎｆｏ」を含む「ＲＲＣＣｏｎｎｅｃｔｉｏｎＲｅｃｏｎｆｉｇｕｒａｔｉｏｎ」を受信するように構成されている。
【００３３】
図３に、かかる情報要素「ＰｈｙｓｉｃａｌＣｏｎｆｉｇＤｅｄｉｃａｔｅｄ」のフォーマットの一例を示す。
【００３４】
設定部１２は、送信ポイントで用いられるＣＳＩ-ＲＳリソースに係る設定情報を管理するように構成されている。
【００３５】
かかるＣＳＩ-ＲＳリソースに係る設定情報には、「ＡｎｔｅｎｎａＩｎｆｏＤｅｄＣｏｎｆｉｇ」や「ＣＳＩ-ＲＳ-Ｃｏｎｆｉｇ２」や「ＣＳＩ-ｐｒｏｃｅｓｓ」や「ＣＳＩ-ＩＭ-Ｃｏｎｆｉｇ」や「ＣＱＩ-ＲｅｐｏｒｔＰｅｒｉｏｄｉｃＥｘｔ」等が含まれる。
【００３６】
また、移動局ＵＥの無線基地局ｅＮＢ＃１配下のセルから無線基地局ｅＮＢ＃２配下のセルへのハンドオーバが行われる際に、設定部１２は、無線基地局ｅＮＢ＃２配下のセルにおいて、無線基地局ｅＮＢ＃１配下の送信ポイントで用いられていたＣＳＩ-ＲＳリソースに係る設定情報を有効にし、無線基地局ｅＮＢ＃１から受信した「ＰｈｙｓｉｃａｌＣｏｎｆｉｇＤｅｄｉｃａｔｅｄ」によって指定されているＣＳＩ-ＲＳリソースに係る設定情報を解放し、かかる「ＰｈｙｓｉｃａｌＣｏｎｆｉｇＤｅｄｉｃａｔｅｄ」によって指定されているＣＳＩ-ＲＳリソースに係る設定情報を追加するように構成されている。
【００３７】
以下、図４乃至図６を参照して、本実施形態に係る移動通信システムにおいて、移動局ＵＥの無線基地局ｅＮＢ＃１配下のセルから無線基地局ｅＮＢ＃２配下のセルへのハンドオーバが行われる際の動作について説明する。
【００３８】
図４に示すように、ステップＳ１００１において、無線基地局ｅＮＢ＃１が、移動局ＵＥに対して、情報要素「ＰｈｙｓｉｃａｌＣｏｎｆｉｇＤｅｄｉｃａｔｅｄ」を含む情報要素「ＭｏｂｉｌｉｔｙＣｏｎｔｒｏｌＩｎｆｏ」を含む「ＲＲＣＣｏｎｎｅｃｔｉｏｎＲｅｃｏｎｆｉｇｕｒａｔｉｏｎ」を送信する。
【００３９】
ステップＳ１００２において、移動局ＵＥは、かかる情報要素「ＰｈｙｓｉｃａｌＣｏｎｆｉｇＤｅｄｉｃａｔｅｄ」に基づいて、無線基地局ｅＮＢ＃２配下のセルにおいて、無線基地局ｅＮＢ＃１配下の送信ポイントで用いられていたＣＳＩ-ＲＳリソースに係る設定情報の各々について引き継ぐか否かについて決定する。
【００４０】
ここで、図５及び図６を参照して、ステップＳ１００２の動作について説明する。
【００４１】
ステップＳ１０１において、移動局ＵＥは、無線基地局ｅＮＢ＃１配下の送信ポイントで用いられていたＣＳＩ-ＲＳリソースに係る設定情報を有効にすることを決定する。
【００４２】
例えば、移動局ＵＥのＲＲＣレイヤは、物理レイヤに対して、無線基地局ｅＮＢ＃１配下のセル（送信ポイント）において設定されていた「ＡｎｔｅｎｎａＩｎｆｏＤｅｄＣｏｎｆｉｇ」や「ＣＳＩ-ＲＳ-Ｃｏｎｆｉｇ２」や「ＣＳＩ-ｐｒｏｃｅｓｓ」や「ＣＳＩ-ＩＭ-Ｃｏｎｆｉｇ」や「ＣＱＩ-ＲｅｐｏｒｔＰｅｒｉｏｄｉｃＥｘｔ」を、無線基地局ｅＮＢ＃２配下のセル（送信ポイント）において継続して使用するように指示する（図６参照）。
【００４３】
ステップＳ１０２において、移動局ＵＥは、無線基地局ｅＮＢ＃１から受信した情報要素「ＰｈｙｓｉｃａｌＣｏｎｆｉｇＤｅｄｉｃａｔｅｄ」によって指定されているＣＳＩ-ＲＳリソースに係る設定情報を解放することを決定する。
【００４４】
例えば、移動局ＵＥのＲＲＣレイヤは、受信した情報要素「ＰｈｙｓｉｃａｌＣｏｎｆｉｇＤｅｄｉｃａｔｅｄ」に「ａｎｔｅｎｎａＩｎｆｏＤｅｄＣｏｎｆｉｇＴｏＲｅｌｅａｓｅＬｉｓｔ」が含まれている場合（図３参照）、「ａｎｔｅｎｎａＩｎｆｏＤｅｄＣｏｎｆｉｇＴｏＲｅｌｅａｓｅＬｉｓｔ」内に含まれる「ａｎｔｅｎｎａＩｎｆｏＤｅｄＣｏｎｆｉｇ-Ｉｄ」に関連付けられている「ａｎｔｅｎｎａＩｎｆｏＤｅｄＣｏｎｆｉｇ」を解放する。
【００４５】
次に、移動局ＵＥのＲＲＣレイヤは、受信した情報要素「ＰｈｙｓｉｃａｌＣｏｎｆｉｇＤｅｄｉｃａｔｅｄ」に「ＣＳＩ-ＲＳ-ＣｏｎｆｉｇＴｏＲｅｌｅａｓｅＬｉｓｔ」が含まれている場合（図３参照）、「ＣＳＩ-ＲＳ-ＣｏｎｆｉｇＴｏＲｅｌｅａｓｅＬｉｓｔ」内に含まれる「ＣＳＩ-ＲＳ-Ｃｏｎｆｉｇ-Ｉｄｅｎｔｉｔｙ」に関連付けられている「ＣＳＩ-ＲＳ-Ｃｏｎｆｉｇ２」を解放する。
【００４６】
次に、移動局ＵＥのＲＲＣレイヤは、受信した情報要素「ＰｈｙｓｉｃａｌＣｏｎｆｉｇＤｅｄｉｃａｔｅｄ」に「ＣＳＩ-ＰｒｏｃｅｓｓＴｏＲｅｌｅａｓｅＬｉｓｔ」が含まれている場合（図３参照）、「ＣＳＩ-ＰｒｏｃｅｓｓＴｏＲｅｌｅａｓｅＬｉｓｔ」内に含まれる「ＣＳＩ-ＰｒｏｃｅｓｓＩｄｅｎｔｉｔｙ」に関連付けられている「ＣＳＩ-Ｐｒｏｃｅｓｓ」を解放する。
【００４７】
次に、移動局ＵＥのＲＲＣレイヤは、受信した情報要素「ＰｈｙｓｉｃａｌＣｏｎｆｉｇＤｅｄｉｃａｔｅｄ」に「ＣＳＩ-ＩＭ-ＣｏｎｆｉｇＴｏＲｅｌｅａｓｅＬｉｓｔ」が含まれている場合（図３参照）、「ＣＳＩ-ＩＭ-ＣｏｎｆｉｇＴｏＲｅｌｅａｓｅＬｉｓｔ」内に含まれる「ＩＭＲ-Ｉｄｅｎｔｉｔｙ」に関連付けられている「ＣＳＩ-ＩＭ-Ｃｏｎｆｉｇ」を解放する。
【００４８】
次に、移動局ＵＥのＲＲＣレイヤは、受信した情報要素「ＰｈｙｓｉｃａｌＣｏｎｆｉｇＤｅｄｉｃａｔｅｄ」に「ＣＱＩ-ＲｅｐｏｒｔＰｅｒｉｏｄｉｃＥｘｔＴｏＲｅｌｅａｓｅＬｉｓｔ」が含まれている場合（図３参照）、「ＣＱＩ-ＲｅｐｏｒｔＰｅｒｉｏｄｉｃＥｘｔＴｏＲｅｌｅａｓｅＬｉｓｔ」内に含まれる「ＣＱＩ-ＲｅｐｏｒｔＰｅｒｉｏｄｉｃＥｘｔＩｄ」に関連付けられている「ＣＱＩ-ＲｅｐｏｒｔＰｅｒｉｏｄｉｃＥｘｔ」を解放する。
【００４９】
ステップＳ１０３において、移動局ＵＥは、受信した情報要素「ＰｈｙｓｉｃａｌＣｏｎｆｉｇＤｅｄｉｃａｔｅｄ」によって指定されているＣＳＩ-ＲＳリソースに係る設定情報を追加する。
【００５０】
例えば、移動局ＵＥのＲＲＣレイヤは、受信した情報要素「ＰｈｙｓｉｃａｌＣｏｎｆｉｇＤｅｄｉｃａｔｅｄ」に「ａｎｔｅｎｎａＩｎｆｏＤｅｄＣｏｎｆｉｇＴｏＡｄｄＭｏｄＬｉｓｔ」が含まれている場合（図３参照）、現在設定されている「ＡｎｔｅｎｎａＩｎｆｏＤｅｄＣｏｎｆｉｇ-Ｉｄ」とは異なる「ａｎｔｅｎｎａＩｎｆｏＤｅｄＣｏｎｆｉｇＴｏＡｄｄＭｏｄＬｉｓｔ」内の「ａｎｔｅｎｎａＩｎｆｏＤｅｄＣｏｎｆｉｇ-Ｉｄ」に関連付けられている「ａｎｔｅｎｎａＩｎｆｏＤｅｄＣｏｎｆｉｇ」を追加する。
【００５１】
一方、移動局ＵＥのＲＲＣレイヤは、受信した情報要素「ＰｈｙｓｉｃａｌＣｏｎｆｉｇＤｅｄｉｃａｔｅｄ」に「ａｎｔｅｎｎａＩｎｆｏＤｅｄＣｏｎｆｉｇＴｏＡｄｄＭｏｄＬｉｓｔ」が含まれている場合（図３参照）、現在設定されている「ＡｎｔｅｎｎａＩｎｆｏＤｅｄＣｏｎｆｉｇ-Ｉｄ」と同じ「ａｎｔｅｎｎａＩｎｆｏＤｅｄＣｏｎｆｉｇＴｏＡｄｄＭｏｄＬｉｓｔ」内の「ａｎｔｅｎｎａＩｎｆｏＤｅｄＣｏｎｆｉｇ-Ｉｄ」に関連付けられている「ａｎｔｅｎｎａＩｎｆｏＤｅｄＣｏｎｆｉｇ」の内容（パラメータ）を修正する。
【００５２】
次に、移動局ＵＥのＲＲＣレイヤは、受信した情報要素「ＰｈｙｓｉｃａｌＣｏｎｆｉｇＤｅｄｉｃａｔｅｄ」に「ＣＳＩ-ＲＳ-ＣｏｎｆｉｇＴｏＡｄｄＭｏｄＬｉｓｔ」が含まれている場合（図３参照）、現在設定されている「ＣＳＩ-ＲＳ-Ｃｏｎｆｉｇ-Ｉｄｅｎｔｉｔｙ」とは異なる「ＣＳＩ-ＲＳ-ＣｏｎｆｉｇＴｏＡｄｄＭｏｄＬｉｓｔ」内の「ＣＳＩ-ＲＳ-Ｃｏｎｆｉｇ-Ｉｄｅｎｔｉｔｙ」に関連付けられている「ＣＳＩ-ＲＳ-ＣｏｎｆｉｇＣｏｎｆｉｇ２」を追加する。
【００５３】
一方、移動局ＵＥのＲＲＣレイヤは、受信した情報要素「ＰｈｙｓｉｃａｌＣｏｎｆｉｇＤｅｄｉｃａｔｅｄ」に「ＣＳＩ-ＲＳ-ＣｏｎｆｉｇＴｏＡｄｄＭｏｄＬｉｓｔ」が含まれている場合（図３参照）、現在設定されている「ＣＳＩ-ＲＳ-Ｃｏｎｆｉｇ-Ｉｄｅｎｔｉｔｙ」と同じ「ＣＳＩ-ＲＳ-ＣｏｎｆｉｇＴｏＡｄｄＭｏｄＬｉｓｔ」内の「ＣＳＩ-ＲＳ-Ｃｏｎｆｉｇ-Ｉｄｅｎｔｉｔｙ」に関連付けられている「ＣＳＩ-ＲＳ-Ｃｏｎｆｉｇ２」の内容（パラメータ）を修正する。
【００５４】
次に、移動局ＵＥのＲＲＣレイヤは、受信した情報要素「ＰｈｙｓｉｃａｌＣｏｎｆｉｇＤｅｄｉｃａｔｅｄ」に「ＣＳＩ-ＰｒｏｃｅｓｓＴｏＡｄｄＭｏｄＬｉｓｔ」が含まれている場合（図３参照）、現在設定されている「ＣＳＩ-ＰｒｏｃｅｓｓＩｄｅｎｔｉｔｙ」とは異なる「ＣＳＩ-ＰｒｏｃｅｓｓＴｏＡｄｄＭｏｄＬｉｓｔ」内の「ＣＳＩ-ＰｒｏｃｅｓｓＩｄｅｎｔｉｔｙ」に関連付けられている「ＣＳＩ-Ｐｒｏｃｅｓｓ」を追加する。
【００５５】
一方、移動局ＵＥのＲＲＣレイヤは、受信した情報要素「ＰｈｙｓｉｃａｌＣｏｎｆｉｇＤｅｄｉｃａｔｅｄ」に「ＣＳＩ-ＰｒｏｃｅｓｓＴｏＡｄｄＭｏｄＬｉｓｔ」が含まれている場合（図３参照）、現在設定されている「ＣＳＩ-ＰｒｏｃｅｓｓＩｄｅｎｔｉｔｙ」と同じ「ＣＳＩ-ＰｒｏｃｅｓｓＴｏＡｄｄＭｏｄＬｉｓｔ」内の「ＣＳＩ-ＰｒｏｃｅｓｓＩｄｅｎｔｉｔｙ」に関連付けられている「ＣＳＩ-Ｐｒｏｃｅｓｓ」の内容（パラメータ）を修正する。
【００５６】
次に、移動局ＵＥのＲＲＣレイヤは、受信した情報要素「ＰｈｙｓｉｃａｌＣｏｎｆｉｇＤｅｄｉｃａｔｅｄ」に「ＣＳＩ-ＩＭ-ＣｏｎｆｉｇＴｏＡｄｄＭｏｄＬｉｓｔ」が含まれている場合（図３参照）、現在設定されている「ＩＭＲ-Ｉｄｅｎｔｉｔｙ」とは異なる「ＣＳＩ-ＩＭ-ＣｏｎｆｉｇＴｏＡｄｄＭｏｄＬｉｓｔ」内の「ＩＭＲ-Ｉｄｅｎｔｉｔｙ」に関連付けられている「ＣＳＩ-ＩＭ-Ｃｏｎｆｉｇ」を追加する。
【００５７】
一方、移動局ＵＥのＲＲＣレイヤは、受信した情報要素「ＰｈｙｓｉｃａｌＣｏｎｆｉｇＤｅｄｉｃａｔｅｄ」に「ＣＳＩ-ＩＭ-ＣｏｎｆｉｇＴｏＡｄｄＭｏｄＬｉｓｔ」が含まれている場合（図３参照）、現在設定されている「ＩＭＲ-Ｉｄｅｎｔｉｔｙ」と同じ「ＣＳＩ-ＩＭ-ＣｏｎｆｉｇＴｏＡｄｄＭｏｄＬｉｓｔ」内の「ＩＭＲ-Ｉｄｅｎｔｉｔｙ」に関連付けられている「ＣＳＩ-ＩＭ-Ｃｏｎｆｉｇ」の内容（パラメータ）を修正する。
【００５８】
次に、移動局ＵＥのＲＲＣレイヤは、受信した情報要素「ＰｈｙｓｉｃａｌＣｏｎｆｉｇＤｅｄｉｃａｔｅｄ」に「ＣＱＩ-ＲｅｐｏｒｔＰｅｒｉｏｄｉｃＥｘｔＴｏＡｄｄＭｏｄＬｉｓｔ」が含まれている場合（図３参照）、現在設定されている「ＣＱＩ-ＲｅｐｏｒｔＰｅｒｉｏｄｉｃＥｘｔＩｄ」とは異なる「ＣＱＩ-ＲｅｐｏｒｔＰｅｒｉｏｄｉｃＥｘｔＴｏＡｄｄＭｏｄＬｉｓｔ」内の「ＣＱＩ-ＲｅｐｏｒｔＰｅｒｉｏｄｉｃＥｘｔＩｄ」に関連付けられている「ＣＱＩ-ＲｅｐｏｒｔＰｅｒｉｏｄｉｃＥｘｔ」を追加する。
【００５９】
一方、移動局ＵＥのＲＲＣレイヤは、受信した情報要素「ＰｈｙｓｉｃａｌＣｏｎｆｉｇＤｅｄｉｃａｔｅｄ」に「ＣＱＩ-ＲｅｐｏｒｔＰｅｒｉｏｄｉｃＥｘｔＴｏＡｄｄＭｏｄＬｉｓｔ」が含まれている場合（図３参照）、現在設定されている「ＣＱＩ-ＲｅｐｏｒｔＰｅｒｉｏｄｉｃＥｘｔＩｄ」と同じ「ＣＱＩ-ＲｅｐｏｒｔＰｅｒｉｏｄｉｃＥｘｔＴｏＡｄｄＭｏｄＬｉｓｔ」内の「ＣＱＩ-ＲｅｐｏｒｔＰｅｒｉｏｄｉｃＥｘｔＩｄ」に関連付けられている「ＣＱＩ-ＲｅｐｏｒｔＰｅｒｉｏｄｉｃＥｘｔ」の内容（パラメータ）を修正する。
【００６０】
ステップＳ１００３において、移動局ＵＥは、無線基地局ｅＮＢ＃２に対して、「ＲＲＣＣｏｎｎｅｃｔｉｏｎＲｅｃｏｎｆｉｇｕｒａｔｉｏｎＣｏｍｐｌｅｔｅ」を送信する。
【００６１】
本実施形態に係る移動通信システムによれば、上述のハンドオーバ後に、無線基地局ｅＮＢ＃２において、無線基地局ｅＮＢ＃１と同一の送信ポイントを使用することができる場合、ＣＳＩ-ＲＳリソースの設定情報を再設定する必要なく、無線基地局ｅＮＢ＃２配下のセル（送信ポイント）において、無線基地局ｅＮＢ＃１で用いられていたＣＳＩ-ＲＳリソースの設定情報を継続することができる。
【００６２】
以上に述べた本実施形態の特徴は、以下のように表現されていてもよい。
【００６３】
本実施形態の第１の特徴は、無線基地局ｅＮＢ＃１（第１無線基地局）及び無線基地局ｅＮＢ＃２（第２無線基地局）において、複数の送信ポイントを用いたＣｏＭＰ（マルチポイント協調送受信）が行われている場合に、移動局ＵＥが、無線基地局ｅＮＢ＃１配下のセルから無線基地局ｅＮＢ＃２配下のセルにハンドオーバするハンドオーバ方法であって、移動局ＵＥが、無線基地局ｅＮＢ＃２配下のセルにおいて、無線基地局ｅＮＢ＃１配下の送信ポイントで用いられていた「ＣＳＩ-ＲＳリソース（チャネルステートインディケータ及び参照符号用リソース）」に係る設定情報を有効にする工程と、移動局ＵＥが、セ無線基地局ｅＮＢ＃２配下のセルにおいて、無線基地局ｅＮＢ＃１から受信した情報要素「ＰｈｙｓｉｃａｌＣｏｎｆｉｇＤｅｄｉｃａｔｅｄ（物理設定情報）」によって指定されているＣＳＩ-ＲＳリソースに係る設定情報を解放する工程と、移動局ＵＥが、無線基地局ｅＮＢ＃２配下のセルにおいて、無線基地局ｅＮＢ＃１から受信した情報要素「ＰｈｙｓｉｃａｌＣｏｎｆｉｇＤｅｄｉｃａｔｅｄ」によって指定されているＣＳＩ-ＲＳリソースに係る設定情報を追加する工程とを有することを要旨とする。
【００６４】
本実施形態の第２の特徴は、無線基地局ｅＮＢ＃１及び無線基地局ｅＮＢ＃２において、複数の送信ポイントを用いたＣｏＭＰが行われている場合に、無線基地局ｅＮＢ＃１配下のセルから無線基地局ｅＮＢ＃２配下のセルにハンドオーバすることができるように構成されている移動局ＵＥであって、送信ポイントで用いられるＣＳＩ-ＲＳリソースに係る設定情報を管理するように構成されている設定部１２を具備しており、上述のハンドオーバが行われる際に、設定部１２は、無線基地局ｅＮＢ＃２配下のセルにおいて、無線基地局ｅＮＢ＃１配下の送信ポイントで用いられていたＣＳＩ-ＲＳリソースに係る設定情報を有効にし、無線基地局ｅＮＢ＃１から受信した情報要素「ＰｈｙｓｉｃａｌＣｏｎｆｉｇＤｅｄｉｃａｔｅｄ」によって指定されているＣＳＩ-ＲＳリソースに係る設定情報を解放し、かかる情報要素「ＰｈｙｓｉｃａｌＣｏｎｆｉｇＤｅｄｉｃａｔｅｄ」によって指定されているＣＳＩ-ＲＳリソースに係る設定情報を追加するように構成されていることを要旨とする。
【００６５】
なお、上述の無線基地局ｅＮＢや移動局ＵＥの動作は、ハードウェアによって実施されてもよいし、プロセッサによって実行されるソフトウェアモジュールによって実施されてもよいし、両者の組み合わせによって実施されてもよい。
【００６６】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００６７】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢや移動局ＵＥ内に設けられていてもよい。また、かかる記憶媒体及びプロセッサは、ディスクリートコンポーネントとして無線基地局ｅＮＢや移動局ＵＥ内に設けられていてもよい。
【００６８】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００６９】
ｅＮＢ…無線基地局
ＵＥ…移動局
１１…受信部
１２…設定部
【図１】
2014093620.tif 000003
【図２】
2014093620.tif 000004
【図３】
2014093620.tif 000005
【図４】
2014093620.tif 000006
【図５】
2014093620.tif 000007
【図６】
2014093620.tif 000008